(57)【要約】【課題】指定の締め日以外の日に臨時の締め日を設定しても適正に処理できる集中検針装置を提供することである。【解決手段】エネルギーの種別に応じて毎月の使用量の締め日および前回締め日や次回締め日が格納されたメータ種別テーブル１５を記憶装置１３に記憶し、メータ種別登録処理手段２５は、設定器２４で設定された臨時締め日をメータ種別テーブル１５に格納すると共にメータ種別テーブル１５に格納された毎月の使用量の締め日、前回締め日、次回締め日および臨時締め日を表示装置１４に表示出力する。また、毎日検針処理手段１７は、毎日の使用量を収集し前回締め日から今回締め日までの使用量を算出すると共に臨時締め日および次回締め日に基づいて次回締め日を決定する。【選択図】  図１
2005016973.tif 000002
【特許請求の範囲】
【請求項１】
エネルギーの種別に応じて毎月の使用量の締め日および前回締め日や次回締め日が格納されたメータ種別テーブルを記憶した記憶装置と、前記メータ種別テーブルに臨時締め日を設定するための設定器と、前記設定器で設定された臨時締め日を前記メータ種別テーブルに格納すると共に前記メータ種別テーブルに格納された毎月の使用量の締め日、前回締め日、次回締め日および臨時締め日を表示装置に表示出力するメータ種別登録処理手段と、毎日の使用量を収集し前回締め日から今回締め日までの使用量を算出すると共に臨時締め日および次回締め日に基づいて次回締め日を決定する毎日検針処理手段とを備えたことを特徴とする集中検針装置。
【請求項２】
前記毎日検針処理手段は、毎日の使用量を収集する毎日データ収集処理手段と、前回締め日から今回締め日までの使用量を算出する締め日使用量算出処理手段と、毎日の日付に基づいて算出した次回締め日および前記メータ種別テーブルに格納された前記臨時締め日に基づいて次回締め日を決定し前回締め日から今回締め日までの使用量が算出されたときは次回締め日を更新する締め日チェック更新処理手段と、前記次回締め日として前記臨時締め日が決定され当該次回締め日の使用量が算出されたときはその処理が終了した臨時締め日を前記メータ種別テーブルから削除する臨時締め日初期化処理手段とを備えたことを特徴とする請求項１記載の集中検針装置。
【発明の詳細な説明】
【０００１】
【発明の属する技術分野】
本発明は、ビル等におけるテナントのガス、水道、電気等の使用量を算出する集中検針装置に関する。
【０００２】
【従来の技術】
テナントが入っているビルでは、毎月、ガス、水道、電気等のエネルギーの使用量をメータにより検針し、テナントごとに使用量を算出して料金を回収している。締め日はメータ種別ごとに設定できるようになっている。このような集中検針装置においては、集中検針装置やその周辺機器が故障して検針処理がストップした場合でも積算値を復元することができ、さらに任意の期間の使用量を自動的に算出することができるようにしている（例えば、特許文献１参照）。
【０００３】
一方、締め日での集計を適切に行えるようにするため、メータ種別ごとに最後に締めた月日を保存しておき、毎日の検針開始前に次回の締め日の年月日をチェックし、その設定日を経過した時点で締め処理を行い１ヶ月の請求用データを出力している。
【０００４】
図５は従来の集中検針装置のブロック構成図である。集中検針装置は、ガス、水道、電気等の使用量を検出するメータ１１からの検出信号を演算処理装置１２に入力し、記憶装置１３に記憶すると共に必要に応じて表示装置１４に表示するようになっている。
【０００５】
記憶装置１３には、図６に示すようなメータ種別テーブル１５が記憶されている。メータ種別テーブル１５は、エネルギーの各種別毎に、種別コード、種別名称、締め日、次回締め日、前回締め日が格納されており、演算処理装置１２はメータ種別テーブル１５に基づいて、エネルギー種別毎に締め日において使用料を計算することになる。
【０００６】
図７は、表示装置１４に表示されるメータ種別登録画面１６の説明図である。メータ種別登録画面１６上に表示される内容は、種別コード、種別名称、締め日である。締め日は毎月の締め日であり図７では２５日が設定されている。次回締め日や前回締め日は、通常は来月や先月の２５日であるが休日に該当する場合には休日あけの初日に設定されることもある。次回締め日、前回締め日は、プログラム内部的に更新されて使用されているが、画面表示されていないため外部から確認できないようになっている。
【０００７】
図８は、このような状況下で運用される従来の集中検針装置の処理内容を示すフローチャートであり、図８（ａ）は毎日検針処理の処理内容を示すフローチャート、図８（ｂ）は図８（ａ）のステップＳ２、Ｓ６での締め日チェック更新処理の処理内容を示すフローチャートである。まず、毎日検針処理のために毎日起動され、起動の設定時刻経過かつ本日最初の起動であるか否かの判定を行い（Ｓ１）、起動の設定時刻経過かつ本日最初の起動であるときは、本日の日付に基づいて次回締め日が正常かどうかの判断を行う（Ｓ２）。
【０００８】
ステップＳ２での締め日チェック更新処理は、次回締め日が正常かどうかの判断を行うものであり、図８（ｂ）に示すように、まず、本日の日付に基づいて次回締め日を決定する（Ｓ１１）。次に、ステップＳ１１で決定した次回締め日とメータ種別テーブル１５に設定されている次回締め日とが一致しているか否かの判断を行う（Ｓ１２）。一致している場合には図８（ａ）のステップＳ３の処理に移行する。一方、一致していない場合にはメータ種別テーブル１５の次回締め日が過去で前月の前回締め日と一致するか否かを判断する（Ｓ１３）。前回締め日と一致する場合には現状のままステップＳ３の処理に移行する。一方、前回締め日と一致しない場合にはメータ種別テーブル１５の次回締め日を正しい次回締め日として更新しステップＳ３の処理に移行する（Ｓ１４）。
【０００９】
ステップＳ３では、毎日データの検針値の収集を行い、本日の日付とメータ種別テーブル１５の次回締め日とを比較し（Ｓ４）、本日の日付がメータ種別テーブル１５の次回締め日を経過していれば、前回締め日から現状の次回締め日までの使用量を算出する（Ｓ５）。そして、ステップＳ６で、ｒｅｑ＝１で図８（ｂ）の締め日チェック更新処理を呼び出し、メータ種別テーブル１５の次回締め日を翌月締め日で更新し（Ｓ７）、メータ種別テーブル１５の前回締め日を本日の日付に更新する。以上の処理により、予め設定されているメータ種別ごとの締め日に従い、１ヶ月の締め集計を行う。
【００１０】
【特許文献１】
特開平１０−８３４０６号公報（図１参照）
【００１１】
【発明が解決しようとする課題】
ところが、このような従来の集中検針装置では、指定の締め日以外の日に臨時の締め日を設定し料金の請求をした後に、再び通常の締め日に戻したい場合には適正に対応することができない。
【００１２】
例えば、改修工事に入る前にそれまでの使用量を算出し、料金を請求するために指定の締め日以外の日に臨時の締めを実施し、それが完了の後に再び通常の締め日に戻す場合には、通常の締め日を経過して正常に締め処理が実施されたことを確認の後に、メータ種別テーブル１５の締め日を臨時締め日に変更し、さらにメータ種別テーブル１５の次回締め日の内部データを調整員により確認することが必要となる。そして、臨時の締め日を経過し、正常に臨時締めが実行されたことを確認した後に、再びメータ種別テーブル１５の締め日を本来の締め日に戻し、メータ種別テーブル１５の次回締め日の内部データを調整員が確認するなどの対応をとる必要がある。
【００１３】
メータ種別テーブル１５の次回締め日の内部データは、メータ種別登録画面１６には表示されないので、外部から見た場合、次回締め日がいつなのかの確認できない。そこで、調整員によりメータ種別テーブル１５の次回締め日の内部データを裏操作により確認する必要があった。
【００１４】
本発明の目的は、指定の締め日以外の日に臨時の締め日を設定しても適正に処理できる集中検針装置を提供することである。
【００１５】
【課題を解決するための手段】
請求項１の発明に係わる集中検針装置は、エネルギーの種別に応じて毎月の使用量の締め日および前回締め日や次回締め日が格納されたメータ種別テーブルを記憶した記憶装置と、前記メータ種別テーブルに臨時締め日を設定するための設定器と、前記設定器で設定された臨時締め日を前記メータ種別テーブルに格納すると共に前記メータ種別テーブルに格納された毎月の使用量の締め日、前回締め日、次回締め日および臨時締め日を表示装置に表示出力するメータ種別登録処理手段と、毎日の使用量を収集し前回締め日から今回締め日までの使用量を算出すると共に臨時締め日および次回締め日に基づいて次回締め日を決定する毎日検針処理手段とを備えたことを特徴とする。
【００１６】
請求項２の発明に係わる集中検針装置は、請求項１の発明において、前記毎日検針処理手段は、毎日の使用量を収集する毎日データ収集処理手段と、前回締め日から今回締め日までの使用量を算出する締め日使用量算出処理手段と、毎日の日付に基づいて算出した次回締め日および前記メータ種別テーブルに格納された前記臨時締め日に基づいて次回締め日を決定し前回締め日から今回締め日までの使用量が算出されたときは次回締め日を更新する締め日チェック更新処理手段と、前記次回締め日として前記臨時締め日が決定され当該次回締め日の使用量が算出されたときはその処理が終了した臨時締め日を前記メータ種別テーブルから削除する臨時締め日初期化処理手段とを備えたことを特徴とする。
【００１７】
【発明の実施の形態】
以下、本発明の実施の形態を説明する。図１は本発明の実施の形態に係わる集中検針装置のブロック構成図である。ガス、水道、電気等の使用量を検出するメータ１１からの検出信号は演算処理装置１２の毎日検針処理手段１７に入力され、毎日検針処理手段１７の毎日データ収集処理手段１８により収集処理されて記憶装置１３の検針日データテーブル１９に格納される。また、毎日検針処理手段１７の締め日使用量算出処理手段２０は前回締め日から今回締め日までの使用量を算出し検針月データファイル２１に格納する。記憶装置１３には、検針日データテーブル１９および検針月データファイル２１に加え、メータ種別テーブル１５が記憶されており、このメータ種別テーブル１５には、後述するように、エネルギーの各種別毎に、種別コード、種別名称、締め日、次回締め日、前回締め日に加え、臨時締め日が格納される。
【００１８】
次に、毎日検針処理手段１７の締め日チェック更新処理手段２２は、毎日の日付に基づいて次回締め日を算出し、その算出した次回締め日およびメータ種別テーブル１５に格納された臨時締め日に基づいて次回締め日を決定し、締め日使用量算出処理手段２０により、前回締め日から今回締め日までの使用量が算出されたときは次回締め日を更新するものである。さらに、毎日検針処理手段１７の臨時締め日初期化処理手段２２は、次回締め日として臨時締め日が決定され当該次回締め日の使用量が算出されたときは、その処理が終了した臨時締め日をメータ種別テーブル１５から削除するものである。
【００１９】
設定器２４は、メータ種別テーブル１５に、種別コード、種別名称、締め日、さらには臨時締め日を設定するものであり、設定器２４で設定された情報は、演算処理装置１２のメータ種別登録処理手段２５のメータ種別設定処理手段２６で処理され記憶装置１３のメータ種別テーブル１５に格納される。また、表示装置１４にはメータ種別テーブル１５に格納された内容がメータ種別登録処理手段２５のメータ種別表示処理手段２７によりメータ種別登録画面が表示される。
【００２０】
図２は本発明の実施の形態におけるメータ種別テーブル１５の説明図である。メータ種別テーブル１５には、エネルギーの各種別毎に、種別コード、種別名称、締め日、次回締め日、前回締め日が格納され、さらに、複数の臨時締め日（ｎ個）が格納できるように構成されている。
【００２１】
図３は本発明の実施の形態におけるメータ種別登録画面１６の説明図であり、メータ種別テーブル１５に格納されたすべての情報が表示装置１４にメータ種別登録画面１６として表示され、表示装置１４の表示画面上からメータ種別テーブル１５のすべての情報が確認できるようになっている。すなわち、次回締め日や前回締め日が表示されるので、前回いつ締めが実行されたか、また次回締めを行う日を容易に確認できる。
【００２２】
このように、設定器２４からメータ種別設定処理手段２６を介して、エネルギー種別の種別コード、種別名称、締め日、臨時締め日の情報が設定でき、また、メータ種別表示処理手段２７では、上記設定できる情報以外に、次回締め日、前回締め日など内部処理で使用され、メータ種別登録画面１６に表示されていなかった情報についても画面表示できるようにしている。
【００２３】
ここで、毎日検針処理手段１７の締め日チェック更新処理手段２２は、メータ種別テーブル１５の締め日データ、臨時締め日、前回締め日、本日日付に基づいて、次回の締め日を決定する。そして、メータ種別テーブル１５に設定されている次回締め日が正しくない場合には正しい次回締め日に更新を行う。
【００２４】
毎日データ収集処理手段１８では、メータ１１から日々の検針値を取り込み検針日データテーブル１９を更新する。また、締め日使用量算出処理手段２０では、本日日付とメータ種別テーブル１５の臨時締め日を含む次回締め日とを比較し、本日日付が次回締め日を経過していれば締め処理を実行する。締め日経過で判断する理由は、万一締め日の当日に締め処理を実施できない場合（マシンが停止していたなどで実施できない場合）に、１日以上遅れてでも締めが行えるようにするためである。締め日使用量算出処理手段２０は、前回締め日の検針値から今回締め日の検針値の差分を求め１ヶ月使用量を算出し、検針月データテーブル２１を更新する。
【００２５】
締め日使用量算出処理手段２０による正常に締め処理が完了した後で、メータ種別テーブル１５の次回締め日は、締め日チェック更新処理手段２２にて次回の締め日に更新される。締め処理が正常に完了し、本日が臨時締め日の場合には、メータ種別テーブル１５の処理臨時締め日の該当日（本日）は、臨時締め日初期化処理手段２３により初期化される。臨時の締め日は、来年まで持ち越すものではないため、締め完了時点で設定から解除するものである。
【００２６】
図４は本発明の実施の形態に係わる集中検針装置の処理内容を示すフローチャートであり、図４（ａ）は毎日検針処理の処理内容を示すフローチャート、図４（ｂ）は図４（ａ）のステップＳ２、Ｓ６での締め日チェック更新処理の処理内容を示すフローチャートである。図８に示した従来例に対し、ステップＳ５ａ、Ｓ１１ａ、Ｓ１１ｂ、Ｓ１１ｃを追加して設けたものである。
【００２７】
図４（ａ）において、まず、毎日検針処理のために毎日起動され、起動の設定時刻経過かつ本日最初の起動であるか否かの判定を行い（Ｓ１）、起動の設定時刻経過かつ本日最初の起動であるときは、本日の日付に基づいて次回締め日が正常かどうかの判断を行う（Ｓ２）。
【００２８】
ステップＳ２での締め日チェック更新処理は、次回締め日が正常かどうかの判断を行うものであり、図４（ｂ）に示すように、まず、本日の日付に基づいて次回締め日を決定する（Ｓ１１）。次に、メータ種別テーブル１５の臨時締め日データを検索し（Ｓ１１ａ）、現在日からステップＳ１１で決定した通常の次回締め日間に該当する臨時締め日が存在するかどうかを確認し（Ｓ１１ｂ）、その間に臨時締め日が存在する場合には、その臨時締め日を次回締め日として決定する（Ｓ１１ｃ）。
【００２９】
例えば、メータ種別テーブル１５の締め日が毎月の２５日であり、臨時締め日が１月１３日、３月１２日であり、本日が１月８日であるとする。この場合には、通常の次回締め日は１月２５日となるが、本日の日付から通常の次回締め日（１月２５日）の間に臨時締め日（１月１３日）が存在するため、次回締め日を臨時締め日（１月１３日）として決定する。
【００３０】
そして、ステップＳ１１またはステップＳ１１ｃで決定された次回締め日と、メータ種別テーブル１５に設定されている次回締め日とが一致しているか否かを判定し（Ｓ１２）、一致している場合には図４（ａ）のステップＳ３の処理に移行する。一方、一致していない場合には、メータ種別テーブル１５の次回締め日が過去で前月の前回締め日と一致するか否かを判断する（Ｓ１３）。前回締め日と一致する場合には現状のままステップＳ３の処理に移行する。
【００３１】
これは、締め日のタイミングでマシンが停止していたなどの理由で、締め処理が正常に実行されていない可能性があり、正しい締め日に更新してしまうと、本来の締めが実行されないままになるため、更新はしないで現状のままとする。また、それ以外の場合は、試験用データなどが残ったままになっているなどの理由で正常でないと判断できるため、メータ種別テーブル１５の次回締め日に正しい次回締め日を更新しステップＳ３の処理に移行する（Ｓ１４）。
【００３２】
ステップＳ３では、毎日データの検針値の収集を行い、本日の日付とメータ種別テーブル１５の次回締め日とを比較し（Ｓ４）、本日の日付がメータ種別テーブル１５の次回締め日を経過していれば、前回締め日から現状の次回締め日までの使用量を算出する（Ｓ５）。ステップＳ５において前回締め日から今回締め日までの使用量を算出したときは、メータ種別テーブル１５の臨時締め日の該当日を初期化する（Ｓ５ａ）。これは、臨時締めは１回限りであり正常に完了した場合には来年も使用することはないためである。そして、ステップＳ６で、ｒｅｑ＝１で図４（ｂ）の締め日チェック更新処理を呼び出し、メータ種別テーブル１５の次回締め日を翌月締め日で更新し（Ｓ７）、メータ種別テーブル１５の前回締め日を本日の日付に更新する。
【００３３】
第１の実施の形態によれば、設定器２４からメータ種別登録処理手段２５を介してメータ種別テーブル１５に臨時締め日（ｎ個）を追加して設定できるようにしているので、臨時締め日が発生したとしても適正に対応できる。また、表示装置１４にメータ種別登録処理手段２５を介してメータ種別テーブル１５のすべての情報を表示するので、次回締め日や前回締め日、さらには臨時締め日も容易に把握できる。
【００３４】
【発明の効果】
以上述べたように、本発明によれば、指定の締め日以外の日に臨時の締めを容易に実施でき、その後、再び通常の締め日に容易に戻すことができるので、エネルギー使用量の料金計算を適正に行うことができる。例えば、改修工事に入る前にそれまでの使用量を算出し料金の請求を行うことができ、改修工事後に通常の締め日に戻すことができる。
【図面の簡単な説明】
【図１】本発明の実施の形態に係わる集中検針装置のブロック構成図。
【図２】本発明の実施の形態におけるメータ種別テーブルの説明図。
【図３】本発明の実施の形態におけるメータ種別登録画面の説明図。
【図４】本発明の実施の形態に係わる集中検針装置の処理内容を示すフローチャート。
【図５】従来の集中検針装置のブロック構成図。
【図６】従来の集中検針装置におけるメータ種別テーブルの説明図。
【図７】従来の集中検針装置におけるメータ種別登録画面の説明図。
【図８】従来の集中検針装置の処理内容を示すフローチャート。
【符号の説明】
１１…メータ、１２…演算処理装置、１３…記憶装置、１４…表示装置、１５…メータ種別テーブル、１６…メータ種別登録画面、１７…毎日検針処理手段、１８…毎日データ収集処理手段、１９…検針日データテーブル、２０…締め日使用量算出処理手段、２１…検針月データファイル、２２…締め日チェック更新処理手段、２３…臨時締め日初期化処理手段、２４…設定器、２５…メータ種別登録処理手段、２６…メータ種別設定処理手段、２７…メータ種別表示処理手段
【図１】
2005016973.tif 000003
【図２】
2005016973.tif 000004
【図３】
2005016973.tif 000005
【図４】
2005016973.tif 000006
【図５】
2005016973.tif 000007
【図６】
2005016973.tif 000008
【図７】
2005016973.tif 000009
【図８】
2005016973.tif 000010